(57)【特許請求の範囲】
【請求項１】
コンピュータが、ＴＭＳ（Ｔｒａｎｓｃｒａｎｉａｌ Ｍａｇｎｅｔｉｃ Ｓｔｉｍｕｌａｔｉｏｎ、経頭蓋的磁気刺激法）施術用コイルの磁気ベクトルポテンシャル（Ｍａｇｎｅｔｉｃ Ｖｅｃｔｏｒ Ｐｏｔｅｎｔｉａｌ）の空間的分布に関する情報を獲得する段階と、
コンピュータが、前記空間的分布から、前記施術用コイルによって対象体の脳に電気的刺激を与える刺激目標地点に印加される磁場の強さが最大となるようにする条件である最適刺激条件を獲得するための１つ以上のパラメータを獲得する段階と、
コンピュータが、獲得した前記パラメータを用いて、前記最適刺激条件を満たす前記施術用コイルの位置及び方向を算出する段階と、
を含む、ＴＭＳ刺激ナビゲーション方法。
【請求項２】
前記空間的分布に関する情報を獲得する段階は、
コンピュータが、前記施術用コイルの形状による磁気双極子（Ｍａｇｎｅｔｉｃ Ｄｉｐｏｌｅ）を用いて磁気ベクトルポテンシャルを可視化した情報を獲得する段階を含むことを特徴とする請求項１に記載のＴＭＳ刺激ナビゲーション方法。
【請求項３】
前記１つ以上のパラメータを獲得する段階は、
コンピュータが、前記空間的分布で最も高い磁気ベクトルポテンシャル値を有する最適点（Ｏｐｔｉｍａｌ Ｐｏｉｎｔ）を獲得する段階と、
コンピュータが、前記最適点を開始点とする法線ベクトル（Ｎｏｒｍａｌ Ｖｅｃｔｏｒ）のうち前記最適点での勾配（Ｇｒａｄｉｅｎｔ）との積が最小となる法線ベクトルである最適ベクトル（Ｏｐｔｉｍａｌ Ｖｅｃｔｏｒ）を獲得する段階と、
を含むことを特徴とする請求項１に記載のＴＭＳ刺激ナビゲーション方法。
【請求項４】
前記施術用コイルの位置及び方向を算出する段階は、
コンピュータが、前記刺激目標地点が前記最適点から前記最適ベクトルの方向に最も近接するようにする前記施術用コイルの位置及び方向を算出する段階を含むことを特徴とする請求項３に記載のＴＭＳ刺激ナビゲーション方法。
【請求項５】
コンピュータが、前記施術用コイルを算出された位置及び方向に位置させるときに、前記施術用コイルの磁場から誘導される電気的刺激が前記対象体の脳から伝播される状態をシミュレーションする段階を更に含むことを特徴とする請求項１に記載のＴＭＳ刺激ナビゲーション方法。
【請求項６】
前記シミュレーションする段階は、
コンピュータが、前記対象体の脳ＭＲＩ画像を獲得する段階と、
コンピュータが、前記脳ＭＲＩ画像に含まれている複数の領域のそれぞれの性質に基づいて、前記対象体の脳に対する電気的刺激の伝達過程をシミュレーションできる前記対象体の３次元脳地図を生成する段階と、
コンピュータが、前記生成された３次元脳地図を用いて前記電気的刺激が前記対象体の脳から伝播される状態をシミュレーションする段階と、
を含むことを特徴とする請求項５に記載のＴＭＳ刺激ナビゲーション方法。
【請求項７】
前記３次元脳地図を生成する段階は、
コンピュータが、前記対象体の脳に対する電気的刺激の伝達過程をシミュレーションできる複数の格子（ｍｅｓｈ）で構成された３次元立体画像を生成する段階を含むことを特徴とする請求項６に記載のＴＭＳ刺激ナビゲーション方法。
【請求項８】
前記シミュレーションする段階は、
コンピュータが、前記施術用コイルの磁場から誘導される電気的刺激が前記対象体の脳から伝播される状態を、前記３次元立体画像を用いて視覚化する段階を含むことを特徴とする請求項７に記載のＴＭＳ刺激ナビゲーション方法。
【請求項９】
ハードウェアであるコンピュータで読み取り可能な記録媒体に格納され、請求項１〜８のいずれかに記載の方法を前記コンピュータで実行するためのコンピュータプログラム。                                                                         
【発明の詳細な説明】
【技術分野】
【０００１】
本発明はＴＭＳ刺激ナビゲーション方法及びプログラムに関する。
【背景技術】
【０００２】
ＭＲＩシステムとは、特定強さの磁場で発生するＲＦ（Ｒａｄｉｏ Ｆｒｅｑｕｅｎｃｙ）信号に対するＭＲ（Ｍａｇｎｅｔｉｃ Ｒｅｓｏｎａｎｃｅ）信号の強さを明暗対比で表現して対象体の断層部位に対するイメージを獲得する機器をいう。例えば、対象体を強力な磁場中に横たえた後、特定の原子核（例えば、水素原子核など）のみを共鳴させるＲＦ信号を対象体に瞬間的に照射した後に中断すれば、前記特定の原子核からＭＲ信号が放出されるが、ＭＲＩシステムは、このＭＲ信号を受信してＭＲイメージを獲得できる。ＭＲ信号は、対象体から放射されるＲＦ信号を意味する。ＭＲ信号の大きさは、対象体に含まれている所定の原子（例えば、水素など）の濃度、弛緩時間Ｔ１、弛緩時間Ｔ２及び血流などの流れにより決定される。
【０００３】
ＭＲＩシステムは、他のイメージング装置とは異なる特徴を含む。イメージの獲得が検知ハードウェア（ｄｅｔｅｃｔｉｎｇ ｈａｒｄｗａｒｅ）の方向に依存するＣＴのようなイメージング装置などとは異なり、ＭＲＩシステムは、任意の地点に指向された２Ｄイメージ又は３Ｄボリュームイメージを獲得することができる。また、ＭＲＩシステムは、ＣＴ、エックス線、ＰＥＴ及びＳＰＥＣＴとは異なり、対象体及び検査員に放射線を露出させず、高い軟部組織（ｓｏｆｔ ｔｉｓｓｕｅ）コントラストを有するイメージの獲得が可能であり、異常な組織の明確な描写が重要な神経（ｎｅｕｒｏｌｏｇｉｃａｌ）イメージ、血管内部（ｉｎｔｒａｖａｓｃｕｌａｒ）イメージ、筋骨格（ｍｕｓｃｕｌｏｓｋｅｌｅｔａｌ）イメージ及び腫瘍（ｏｎｃｏｌｏｇｉｃ）イメージなどを獲得できる。
【０００４】
ＴＭＳ（Ｔｒａｎｓｃｒａｎｉａｌ Ｍａｇｎｅｔｉｃ Ｓｔｉｍｕｌａｔｉｏｎ、経頭蓋的磁気刺激法）は神経系に対する非侵襲的な治療方法であって、薬物治療や侵襲治療を行うことなく、神経系疾患を治療できるという長所がある。ＴＭＳは、磁場の変化を用いて対象体に電気的刺激を与えることができる。
【０００５】
一般に、ＴＭＳは、臨床的又は経験的に知られている刺激地点に電気的刺激を与えるか、使用者が少しずつ刺激位置を移動させながら刺激位置を決定する方式で施術を行ってきた。従って、施術に用いられるコイルの種類や個人間の身体構造の違いを反映し難い上に、施術による効果を直接的に確認し難いという問題があった。
【０００６】
また、対象体の脳活動による電気活動を測定できる脳波検査（Ｅｌｅｃｔｒｏｅｎｃｅｐｈａｌｏｇｒａｍ、ＥＥＧ）及び電気刺激による脳疾患の治療方法が広く利用されている。しかし、ＴＭＳと同様に、ＥＥＧと電気刺激も人によって異なる頭の形状を反映したガイド方法の開発が求められている。
【発明の概要】
【発明が解決しようとする課題】
【０００７】
本発明は、上記事情に鑑みてなされたものであって、その目的は、ＴＭＳ刺激ナビゲーション方法及びプログラムを提供することにある。
【０００８】
本発明が解決しようとする課題は、以上で言及した課題に制限されず、言及していない他の課題は、以下の記載から通常の技術者が明確に理解できるであろう。
【課題を解決するための手段】
【０００９】
上述した課題を解決するための本発明の一側面によるＴＭＳ刺激ナビゲーション方法は、対象体の脳で電気的刺激を与える刺激目標地点を獲得する段階と、ＴＭＳ（Ｔｒａｎｓｃｒａｎｉａｌ Ｍａｇｎｅｔｉｃ Ｓｔｉｍｕｌａｔｉｏｎ、経頭蓋的磁気刺激法）施術用コイルの磁気ベクトルポテンシャル（Ｍａｇｎｅｔｉｃ Ｖｅｃｔｏｒ Ｐｏｔｅｎｔｉａｌ）の空間的分布に関する情報を獲得する段階と、前記空間的分布から、前記刺激目標地点に対する最適刺激条件を獲得するための１つ以上のパラメータを獲得する段階と、前記獲得したパラメータを用いて、前記刺激目標地点に対する最適刺激条件を満たす前記施術用コイルの位置及び方向を算出する段階と、を含む。
【００１０】
また、前記空間的分布に関する情報を獲得する段階は、前記施術用コイルの形状による磁気双極子（Ｍａｇｎｅｔｉｃ Ｄｉｐｏｌｅ）を用いて磁気ベクトルポテンシャルを可視化した情報を獲得する段階を含むことができる。
【００１１】
更に、前記刺激目標地点に対する最適刺激条件は、前記施術用コイルによって前記刺激目標地点に印加される磁場の強さが最大となるようにする条件とできる。
【００１２】
また、前記１つ以上のパラメータを獲得する段階は、前記空間的分布で最も高い磁気ベクトルポテンシャル値を有する最適点（Ｏｐｔｉｍａｌ Ｐｏｉｎｔ）を獲得する段階と、前記最適点を開始点とする法線ベクトル（Ｎｏｒｍａｌ Ｖｅｃｔｏｒ）のうち前記最適点での勾配（Ｇｒａｄｉｅｎｔ）との積が最小となる法線ベクトルである最適ベクトル（Ｏｐｔｉｍａｌ Ｖｅｃｔｏｒ）を獲得する段階と、を含むことができる。
【００１３】
更に、前記施術用コイルの位置及び方向を算出する段階は、前記刺激目標地点が前記最適点から前記最適ベクトルの方向に最も近接するようにする前記施術用コイルの位置及び方向を算出する段階を含むことができる。
【００１４】
また、前記ＴＭＳ刺激ナビゲーション方法は、前記施術用コイルを算出された位置及び方向に位置させるときに、前記施術用コイルの磁場から誘導される電気的刺激が前記対象体の脳から伝播される状態をシミュレーションする段階を更に含むことができる。
【００１５】
更に、前記シミュレーションする段階は、前記対象体の脳ＭＲＩ画像を獲得する段階と、前記脳ＭＲＩ画像に含まれている複数の領域それぞれの性質に基づいて前記対象体の脳に対する電気的刺激の伝達過程をシミュレーションできる前記対象体の３次元脳地図を生成する段階と、前記生成された３次元脳地図を用いて前記電気的刺激が前記対象体の脳から伝播される状態をシミュレーションする段階と、を含むことができる。
【００１６】
また、前記３次元脳地図を生成する段階は、前記対象体の脳に対する電気的刺激の伝達過程をシミュレーションできる複数の格子（ｍｅｓｈ）で構成された３次元立体画像を生成する段階を含むことができる。
【００１７】
更に、前記シミュレーションする段階は、前記施術用コイルの磁場から誘導される電気的刺激が前記対象体の脳から伝播される状態を、前記３次元立体画像を用いて視覚化する段階を含むことができる。
【００１８】
上述した課題を解決するための本発明の一側面によるコンピュータプログラムは、ハードウェアであるコンピュータで読み取り可能な記録媒体に格納され、開示された実施例によるＴＭＳ刺激ナビゲーション方法をコンピュータで実行するためのプログラムである。
【００１９】
本発明のその他の具体的な事項は、詳細な説明及び図面に含まれている。
【発明の効果】
【００２０】
開示された実施例によれば、事前に学習されたモデルを活用して脳ＭＲＩ画像のセグメンテーションを行うことによって、自動的かつ短時間に脳ＭＲＩ画像のセグメンテーションを行えるという効果を奏する。
【００２１】
そのため、医療現場で誰でも短時間に対象体の３次元脳画像を獲得でき、更に対象体の脳に対する電気的刺激の効果を視覚的に確認できるシミュレーション結果を提供できるという効果が得られる。
【００２２】
また、経頭蓋的磁気刺激法の施術用コイルの種類による磁気ベクトルポテンシャル情報を共に活用することによって、刺激目標地点に最適な刺激を与えられる刺激地点を算出及び提供して施術の効果を向上させることができるという効果がある。
【００２３】
更に、頭モデリング及びＭＲＩモデリングを用いて電気刺激パッドの位置をガイドすることによって、人によって異なる頭及び脳の構造を考慮した電気刺激パッドの位置をガイドできるという効果が得られる。
【００２４】
本発明の効果は、以上で言及した効果に制限されず、言及していない他の効果は、以下の記載から通常の技術者が明確に理解できるであろう。
【図面の簡単な説明】
【００２５】
【図１】一実施例によって３次元脳地図を生成する方法を示すフローチャートである。
【図２】一実施例によって対象体の３次元脳地図を生成し、シミュレーションを行う方法を示すフローチャートである。
【図３】脳ＭＲＩ画像に対するセグメンテーションを行った結果を示す図である。
【図４】連結構成要素に基づくノイズの除去方法の一例を示す図である。
【図５】ホールリジェクションを用いた後処理方式の一例を示す図である。
【図６】対象体の脳ＭＲＩ画像から生成された３次元脳画像の一例を示す図である。
【図７】拡散テンソル画像の一例を示す図である。
【図８】シミュレーション結果の一例を示す図である。
【図９】一実施例によるＴＭＳ刺激ナビゲーション方法を示すフローチャートである。
【図１０】ＴＭＳ施術方法の一例を示す図である。
【図１１】対象体の脳に印加される磁場と電場の関係を示す図である。
【図１２】施術用コイルの種類による磁気ベクトルポテンシャルを可視化した情報を示す図である。
【図１３】コイルの位置及び方向を算出する方法の一例を示す図である。
【図１４】施術用コイルの磁場から誘導される電気的刺激が対象体の脳から伝播される状態を視覚化した例示を示す図である。
【図１５】一実施例によるパッドガイド方法を示すフローチャートである。
【図１６】一実施例によって電気刺激結果をシミュレーションする結果を示す図である。
【図１７】イメージを整合する方法の一実施例を示す図である。
【図１８】深度カメラを用いて獲得した３次元スキャンモデルの一例を示す図である。
【図１９】深度カメラモジュールが接続されているコンピュータ装置が対象体の頭を撮影し、撮影された対象体の頭にパッドを付するための位置をガイドする一例を示す図である。
【図２０】携帯可能なコンピュータ装置とそれに接続されている深度カメラモジュールを示す図である。
【発明を実施するための形態】
【００２６】
本発明の利点及び特徴、そしてそれらを達成する方法は、添付の図面と共に詳細に後述されている実施例を参照すれば明確になる。しかし、本発明は、以下で開示される実施例に制限されるものではなく、互いに異なる多様な形態で実現することができる。但し、本実施例は本発明の開示を完全なものにし、本発明が属する技術分野における通常の技術者に本発明の範疇を完全に理解させるために提供されるものであり、本発明は請求の範囲の範疇により定義されるに過ぎない。
【００２７】
本明細書で用いられる用語は、実施例を説明するためのものであり、本発明を制限しようとするものではない。本明細書において、単数形は特に言及しない限り複数形も含む。明細書で用いられる「含む（ｃｏｍｐｒｉｓｅｓ）」及び／又は「含んでいる（ｃｏｍｐｒｉｓｉｎｇ）」は、言及された構成要素以外に１つ以上の他の構成要素の存在又は追加を排除しない。明細書全体に亘って同一の図面符号は同一の構成要素を示し、「及び／又は」は言及された構成要素のそれぞれ及び１つ以上の全ての組み合わせを含む。たとえ、「第１」、「第２」などが多様な構成要素を記述するために用いられていても、これらの構成要素はこれらの用語により制限されないのは当然である。これらの用語は、１つの構成要素を他の構成要素と区別するために用いられるに過ぎない。従って、以下で言及する第１構成要素は、本発明の技術的思想内で第２構成要素でもあり得るのは当然である。
【００２８】
他の定義がなければ、本明細書で用いられる全ての用語（技術及び科学的用語を含む）は、本発明が属する技術分野における通常の技術者が共通して理解できる意味として用いられる。また、一般に用いられる辞典に定義されている用語は、明白に特に定義されていない限り、理想的に又は過度に解釈されない。
【００２９】
明細書で用いられる「部」又は「モジュール」という用語は、ソフトウェア、ＦＰＧＡ、又はＡＳＩＣのようなハードウェアの構成要素を意味し、「部」又は「モジュール」は特定の役割を果たす。しかし、「部」又は「モジュール」との語は、ソフトウェア又はハードウェアに限定されることを意味しない。「部」又は「モジュール」は、アドレッシングできる記憶媒体に存在するように構成されてもよく、１つ又はそれ以上のプロセッサとして実現するように構成されてもよい。従って、一例として「部」又は「モジュール」は、ソフトウェアの構成要素、オブジェクト指向ソフトウェアの構成要素、クラスの構成要素及びタスクの構成要素のような構成要素と、プロセス、関数、属性、プロシージャ、サブルーチン、プログラムコードのセグメント、ドライバ、ファームウェア、マイクロコード、回路、データ、データベース、データ構造、テーブル、アレイ及び変数を含む。構成要素と「部」又は「モジュール」内で提供される機能は、より少数の構成要素及び「部」又は「モジュール」で結合されるか、追加の構成要素と「部」又は「モジュール」などに更に分離できる。
【００３０】
本明細書において「対象体（ｏｂｊｅｃｔ）」は、人又は動物、或いは人又は動物の一部を含み得る。例えば、対象体には、肝臓、心臓、子宮、脳、乳房、腹部などの臓器、又は血管を含めることができる。また、「対象体」にはファントム（ｐｈａｎｔｏｍ）を含めることもできる。ファントムとは、生物の密度と実効原子番号に非常に似ている体積を有する物質を意味するものであって、身体と類似する性質を有する球体（ｓｐｈｅｒｅ）のファントムを含めることができる。
【００３１】
また、本明細書において「使用者」は医療専門家であって、医師、看護師、臨床検査技師、医療画像専門家などであり、医療装置を修理する技術者であり得るが、これに限定されない。
【００３２】
更に、本明細書において「核磁気共鳴画像（ＭＲ ｉｍａｇｅ：Ｍａｇｎｅｔｉｃ Ｒｅｓｏｎａｎｃｅ ｉｍａｇｅ）」とは、核磁気共鳴の原理を用いて獲得した対象体に対する画像を意味する。
【００３３】
以下、添付の図面を参照して本発明の実施例を詳細に説明する。
【００３４】
図１は、一実施例によって３次元脳地図を生成する方法を示すフローチャートである。
【００３５】
図１に示す方法は、コンピュータによって実行される段階を時系列的に示す図である。本明細書においてコンピュータは、少なくとも１つのプロセッサを含むコンピュータ装置の総称としての意味として用いられる。
【００３６】
段階Ｓ１１０で、コンピュータは、対象体の脳ＭＲＩ画像を獲得する。
【００３７】
一実施例において、コンピュータは、ＭＲＩ画像獲得装置と接続されているワークステーションであって、ＭＲＩ画像獲得装置から直接対象体の脳ＭＲＩ画像を獲得できる。
【００３８】
また、コンピュータは、外部サーバ又は他のコンピュータから対象体の脳ＭＲＩ画像を獲得することもできる。
【００３９】
開示された実施例において、対象体の脳ＭＲＩ画像は、対象体の脳を含む頭部分を撮影したＭＲＩ画像を意味する。即ち、対象体の脳ＭＲＩ画像は、対象体の脳だけでなく、対象体の頭蓋骨及び頭皮を含むＭＲＩ画像を意味する。
【００４０】
段階Ｓ１２０で、コンピュータは、段階Ｓ１１０で得られた脳ＭＲＩ画像を複数の領域にセグメンテーション（区画化）する。
【００４１】
一実施例において、コンピュータは、段階Ｓ１１０で得られた脳ＭＲＩ画像を部位別にセグメンテーションする。例えば、コンピュータは、段階Ｓ１１０で得られた脳ＭＲＩ画像を白質、灰白質、脳脊髓液、頭蓋骨及び頭皮にセグメンテーションできるが、脳ＭＲＩ画像をセグメンテーションできる種類はこれに制限されない。
【００４２】
一実施例において、コンピュータは、複数の加工された脳ＭＲＩ画像を用いて学習されたモデルに、対象体の脳ＭＲＩ画像を入力してセグメンテーションされた対象体の脳ＭＲＩ画像を獲得する。
【００４３】
一実施例において、加工された脳ＭＲＩ画像は、脳ＭＲＩ画像に含まれている複数の領域のそれぞれがラベリングされた画像である。また、学習されたモデルは、脳ＭＲＩ画像の入力を受けて、セグメンテーションされた脳ＭＲＩ画像を出力するモデルである。
【００４４】
一実施例において、学習されたモデルは、機械学習（Ｍａｃｈｉｎｅ Ｌｅａｒｎｉｎｇ）を用いて学習されたモデルを意味し、特にディープラーニング（Ｄｅｅｐ Ｌｅａｒｎｉｎｇ）を用いて学習されたモデルを意味し得る。
【００４５】
一実施例において、学習されたモデルは、１つ以上のバッチ正規化（Ｂａｔｃｈ Ｎｏｒｍａｌｉｚａｔｉｏｎ）レイヤ、活性化（Ａｃｔｉｖａｔｉｏｎ）レイヤ及びコンボリューション（Ｃｏｎｖｏｌｕｔｉｏｎ）レイヤを含むモデルであってもよいが、これに制限されない。
【００４６】
一実施例において、学習されたモデルは、ＭＲＩ画像の低レベル特性から高レベル特性を抽出する複数のブロックで構成された水平パイプラインと、水平パイプラインから抽出された特性を集めてセグメンテーションを行う垂直パイプラインを含んで相対的に画質が落ちるＭＲＩのセグメンテーションを行えるように構成されることもできる。
【００４７】
図３を参照すれば、脳ＭＲＩ画像３００（ａ）に対するセグメンテーションを行った結果３００（ｂ）が示されている。
【００４８】
一実施例において、コンピュータは、セグメンテーション結果に対する後処理を行う。
【００４９】
一実施例において、コンピュータは、連結構成要素に基づくノイズの除去（Ｃｏｎｎｅｃｔｅｄ Ｃｏｍｐｏｎｅｎｔ-ｂａｓｅｄ Ｎｏｉｓｅ Ｒｅｊｅｃｔｉｏｎ）を行う。連結構成要素に基づくノイズの除去方法は、畳み込みニューラルネットワーク（Ｃｏｎｖｏｌｕｔｉｏｎ Ｎｅｕｒａｌ Ｎｅｔｗｏｒｋ、ＣＮＮ）を用いて行われたセグメンテーションの結果を向上させるのに用いられる。
【００５０】
図４を参照すれば、連結構成要素に基づくノイズの除去方法の一例が示されている。
【００５１】
コンピュータは、セグメンテーション画像４００で最も大きな塊（ｃｈｕｎｋ）である連結構成要素を除外した残りの構成要素４０２を除去することによって、向上したセグメンテーション画像４１０を獲得する。
【００５２】
一実施例において、コンピュータは、ホールリジェクション（Ｈｏｌｅ Ｒｅｊｅｃｔｉｏｎ）を行う。ホールリジェクションは、畳み込みニューラルネットワークに基づくセグメンテーションのエラーのうちの１つであるホールを除去するのに用いられる。
【００５３】
図５を参照すれば、ホールリジェクションを用いた後処理方式の一例が示されている。
【００５４】
コンピュータは、セグメンテーション画像５００に含まれているホール５０２の少なくとも一部を除去し、向上したセグメンテーション画像５１０を獲得する。
【００５５】
段階Ｓ１３０で、コンピュータは、段階Ｓ１２０でセグメンテーションされた対象体の脳ＭＲＩ画像を用いて、セグメンテーションされた複数の領域を含む対象体の３次元脳画像を生成する。
【００５６】
図６を参照すれば、対象体の脳ＭＲＩ画像から生成された３次元脳画像６００が示されている。
【００５７】
また、セグメンテーションされた対象体の２次元脳ＭＲＩ画像からセグメンテーションされた対象体の３次元脳画像６１０を生成した結果の一例が図６に示されている。
【００５８】
段階Ｓ１４０で、コンピュータは、段階Ｓ１３０で生成された３次元脳画像に含まれている複数の領域それぞれの性質に基づいて、対象体の脳に対する電気的刺激の伝達過程をシミュレーションできる対象体の３次元脳地図を生成する。
【００５９】
対象体の３次元脳地図を生成し、生成された脳地図を用いてシミュレーションを行う具体的な方法は、図２を用いて後述する。
【００６０】
図２は、一実施例によって対象体の３次元脳地図を生成し、シミュレーションを行う方法を示すフローチャートである。
【００６１】
図２に示す方法は、図１に示した方法の一実施例に該当する。従って、図２と関連して省略された内容であっても図１と関連して説明された内容は図２に示す方法にも適用される。
【００６２】
段階Ｓ２１０で、コンピュータは、対象体の３次元脳画像を用いて対象体の脳に対する電気的刺激の伝達過程をシミュレーションできる複数の格子（ｍｅｓｈ）で構成された３次元立体画像を生成する。
【００６３】
一実施例において、コンピュータは、三角形又は四角形を含む複数の表面格子（Ｓｕｒｆａｃｅ Ｍｅｓｈ）で構成された３次元立体画像を生成する。
【００６４】
一実施例において、コンピュータは、四面体又は六面体を含む複数の空間格子（Ｖｏｌｕｍｅｔｒｉｃ Ｍｅｓｈ）で構成された３次元立体画像を生成する。
【００６５】
３次元立体画像を構成する格子の種類は、シミュレーションの用途に応じて異なるように設定できる。
【００６６】
段階Ｓ２２０で、コンピュータは、対象体の脳に対する電気的刺激による電流の流れをシミュレーションするための前記複数の領域それぞれの物理的特性を獲得する。
【００６７】
一実施例において、段階Ｓ２２０で得られる物理的特性は、セグメンテーションされた複数の領域それぞれの等方性（ｉｓｏｔｒｏｐｉｃ）電気伝導率及び異方性（ａｎｉｓｏｔｒｏｐｉｃ）電気伝導率のうちの少なくとも１つを含む。
【００６８】
一実施例において、等方性電気伝導率は、セグメンテーションされた各領域に対して実験によって知られている電気伝導率を割り当てることによって獲得できる。
【００６９】
例えば、脳の各領域に対して知られている電気伝導率は、下記の表１の通りである。
【００７０】
【表１】
0006935630.tif 000002
【００７１】
異方性電気伝導率は、脳白質にある白質繊維の異方性を実現したものである。
【００７２】
一実施例において、異方性電気伝導率は、対象体の脳に対する伝導テンソル画像から獲得される。
【００７３】
例えば、コンピュータは、対象体の脳ＭＲＩ画像から対象体の脳に対する伝導テンソル画像を獲得し、獲得した伝導テンソル画像を用いてセグメンテーションされた複数の領域それぞれの異方性電気伝導率を獲得する。
【００７４】
他の実施例において、対象体の脳ＭＲＩ画像は拡散テンソル画像を含み、コンピュータは、対象体の拡散テンソル画像を用いてセグメンテーションされた複数の領域それぞれの異方性電気伝導率を獲得する。
【００７５】
図７を参照すれば、拡散テンソル画像７００の一例が示されている。
【００７６】
拡散テンソル画像の固有ベクトルは、伝導テンソルの固有ベクトルと一致すると知られているため、コンピュータは、拡散テンソル画像に含まれている神経繊維の方向によって異方性電気伝導率を獲得できる。例えば、神経繊維の方向は高い電気伝導率を有し、神経繊維と垂直な方向は低い電気伝導率を有する。
【００７７】
段階Ｓ２３０で、コンピュータは、３次元脳地図を用いて、対象体の頭の一地点に特定の電気的刺激が与えられたときに、特定の電気的刺激が対象体の脳から伝播される状態をシミュレーションする。
【００７８】
一実施例において、コンピュータは、段階Ｓ２１０で得られた格子画像と、段階Ｓ２２０で得られた物理的特性を用いて電気的刺激が対象体の脳から伝播される状態をシミュレーションする。
【００７９】
図８を参照すれば、シミュレーション結果の一例が示されている。
【００８０】
対象体の頭に与えられ得る電気的刺激は、磁場、電場及び電流のうちの少なくとも１つを含むことができ、対象体の頭に磁場が加えられる場合、対象体の脳には磁場によって誘導された電流を伝播できる。
【００８１】
一実施例において、コンピュータは、対象体の脳で電気的刺激を与える刺激目標地点を獲得する。コンピュータは、対象体の３次元脳地図を用いて、刺激目標地点に電気的刺激を与えるために、対象体の頭に電気的刺激を与える位置を獲得する。
【００８２】
例えば、コンピュータは、対象体の３次元脳地図を用いて、対象体の頭皮から刺激目標地点まで電気的刺激が伝達されるための推薦経路を獲得し、推薦経路から対象体の頭に電気的刺激を与える位置を獲得できる。
【００８３】
コンピュータが対象体の脳に電気的刺激を与えるための位置及び方向を算出及び提供する方法については、以下で後述する。
【００８４】
図９は、一実施例によるＴＭＳ（Ｔｒａｎｓｃｒａｎｉａｌ Ｍａｇｎｅｔｉｃ Ｓｔｉｍｕｌａｔｉｏｎ、経頭蓋的磁気刺激法）刺激ナビゲーション方法を示すフローチャートである。
【００８５】
図９に示したＴＭＳ刺激ナビゲーション方法は、コンピュータによって実行される段階を時系列的に示す図である。
【００８６】
図１０を参照すれば、ＴＭＳ施術方法の一例が示されている。
【００８７】
ＴＭＳは、施術用コイル１０００を対象体１０の頭の一側面に隣接させ、コイル１０００で発生する磁場によって対象体１０の脳に誘導される電場を利用し、脳の特定部分を刺激する治療方法である。
【００８８】
施術用コイル１０００の形状によってコイル１０００の周辺で発生する磁場の強さと形状が異なるので、対象体１０の頭及び脳の形状によって電気的信号が伝播される様子も異なるはずである。
【００８９】
従って、開示された実施例によれば、コイル１０００の種類による刺激地点を算出して提供し、対象体１０の頭及び脳の形状によるシミュレーション結果を提供する。
【００９０】
段階Ｓ９１０で、コンピュータは、対象体の脳で電気的刺激を与える刺激目標地点を獲得する。
【００９１】
刺激目標地点は、治療しようとする疾患によって臨床的又は理論的根拠に基づいて選択される。一実施例において、刺激目標地点は、開示された実施例によって生成された対象体の３次元脳画像又は３次元脳地図を用いて指示される。
【００９２】
段階Ｓ９２０で、コンピュータは、ＴＭＳ施術用コイルの磁気ベクトルポテンシャル（Ｍａｇｎｅｔｉｃ Ｖｅｃｔｏｒ Ｐｏｔｅｎｔｉａｌ）の空間的分布に関する情報を獲得する。
【００９３】
一実施例において、空間的分布に関する情報は、施術用コイルの形状による磁気双極子（Ｍａｇｎｅｔｉｃ Ｄｉｐｏｌｅ）を用いて磁気ベクトルポテンシャルを可視化した情報を含む。
【００９４】
図１２を参照すれば、施術用コイル（１２００及び１２５０）の種類による磁気ベクトルポテンシャルを可視化した情報（１２１０及び１２６０）が示されている。
【００９５】
段階Ｓ９３０で、コンピュータは、段階Ｓ９２０で獲得した空間的分布から、段階Ｓ９１０で獲得した刺激目標地点に対する最適刺激条件を獲得するための１つ以上のパラメータを獲得する。
【００９６】
一実施例において、刺激目標地点に対する最適刺激条件は、施術用コイルによって刺激目標地点に印加される磁場の強さが最大となるようにする条件を意味する。
【００９７】
図１１を参照すれば、対象体の脳に印加される磁場と電場の関係が示されている。
【００９８】
図１１のシミュレーション画像１１００（ａ）を参照すれば、対象体の脳に印加される磁場の大きさ、勾配（電位）の大きさ及び磁場によって誘導される電場の大きさを視覚化したイメージがそれぞれ示されている。対象体の脳に印加される電場の大きさは、対象体の脳に印加される磁場と勾配を足して算出できる。
【００９９】
図１１のグラフ１１００（ｂ）を参照すれば、対象体の脳に印加される磁場と、磁場によって誘導される電場間の相関関係が示されている。
【０１００】
グラフ１１００（ｂ）によれば、対象体の脳に強い磁場が印加されるほど、対象体の脳に強い電場が誘導されることが分かる。
【０１０１】
従って、刺激目標地点に対する最適刺激条件は、施術用コイルによって刺激目標地点に印加される磁場の強さが最大となるようにするものであることが分かる。
【０１０２】
一実施例において、コンピュータが獲得するパラメータは、コイルによって誘導される磁気ベクトルポテンシャルの空間的分布で最も高い磁気ベクトルポテンシャル値を有する最適点（Ｏｐｔｉｍａｌ Ｐｏｉｎｔ）を含む。
【０１０３】
また、コンピュータが獲得するパラメータは、最適点を開始点とする法線ベクトル（Ｎｏｒｍａｌ Ｖｅｃｔｏｒ）のうち最適点での勾配（Ｇｒａｄｉｅｎｔ）との積が最小となる法線ベクトルである最適ベクトル（Ｏｐｔｉｍａｌ Ｖｅｃｔｏｒ）を含む。
【０１０４】
図１２を参照すれば、磁気ベクトルポテンシャル（１２１０及び１２５０）それぞれの最適点（１２１２及び１２６２）及び最適ベクトル（１２１４及び１２６４）が示されている。
【０１０５】
最適点（ｘ、ｙ、ｚ）と最適ベクトルｖは、下記の式１及び式２によって算出される。
【０１０６】
【数１】
0006935630.tif 000003
【０１０７】
前記式１において、ｆは磁気ベクトルポテンシャルマップを意味し、式１によって磁気ベクトルポテンシャルマップｆで最も大きな値を有する位置である（ｘ、ｙ、ｚ）が最適点として算出される。
【０１０８】
【数２】
0006935630.tif 000004
【０１０９】
前記数２において、
0006935630.tif 000005
は最適点を定義する際に用いられたｆを最適点である
0006935630.tif 000006
で微分した値であり、ｖ（ｘ、ｙ、ｚ）は（ｘ、ｙ、ｚ）方向への法線ベクトルを意味する。
【０１１０】
段階Ｓ９４０で、コンピュータは、段階Ｓ９３０で得られたパラメータを用いて、段階Ｓ９１０で得られた刺激目標地点に対する最適刺激条件を満たすコイルの位置及び方向を算出する。
【０１１１】
一実施例において、コイルの位置及び方向を算出する段階は、刺激目標地点が最適点から最適ベクトル方向に最も近接するようにするコイルの位置及び方向を算出する段階を含む。
【０１１２】
図１３を参照すれば、コイルの位置及び方向を算出する方法の一例が示されている。
【０１１３】
対象体１０及び対象体１０の刺激目標地点（Ｓ、１２）が獲得されると、コンピュータは、刺激目標地点１２から最も近い頭皮上の一地点１４を決定する。
【０１１４】
このとき、刺激目標地点１２及び刺激目標地点１２から最も近い頭皮上の一地点１４間の距離をＤとし、地点１４を開始点とし、刺激目標地点１２を終点とするベクトルをＫとする。また、コイル１３１０の厚さを２Ｐとする。
【０１１５】
コンピュータは、ベクトルＫ１３２０とコイル１３１０の最適ベクトル１３１２を整列する下記の式３のような行列を生成及び適用する。
【０１１６】
【数３】
0006935630.tif 000007
【０１１７】
これにより、コイルの位置は、下記の数４のように算出される。
【０１１８】
【数４】
0006935630.tif 000008
【０１１９】
段階Ｓ９５０で、コンピュータは、施術用コイルを段階Ｓ９４０で算出された位置に段階Ｓ９５０で算出された方向に位置させたときに、施術用コイルの磁場から誘導される電気的刺激が対象体の脳から伝播される状態をシミュレーションする。
【０１２０】
一実施例において、コンピュータは、図１及び図２に示した方法によって生成された３次元脳地図を用いてシミュレーションを行う。
【０１２１】
例えば、コンピュータは、対象体の脳ＭＲＩ画像を獲得し、獲得した脳ＭＲＩ画像に含まれている複数の領域のそれぞれの性質に基づいて、対象体の脳に対する電気的刺激の伝達過程をシミュレーションできる対象体の３次元脳地図を生成できる。
【０１２２】
コンピュータは、生成された３次元脳地図を用いて、コイルによる電気的刺激が対象体の脳から伝播される状態をシミュレーションする。
【０１２３】
また、３次元脳地図は、対象体の脳に対する電気的刺激の伝達過程をシミュレーションできる複数の格子で構成された３次元立体画像を含むことができる。
【０１２４】
一実施例において、コンピュータは、施術用コイルの磁場から誘導される電気的刺激が対象体の脳から伝播される状態を、３次元立体画像を用いて視覚化する。
【０１２５】
図１４を参照すれば、施術用コイルの磁場から誘導される電気的刺激が対象体の脳から伝播される状態を視覚化した例示が示されている。
【０１２６】
開示された実施例において、コンピュータは、ＴＭＳ施術用コイルが備えられたロボットアーム装置と接続される。ロボットアーム装置は、コンピュータが指定した位置にＴＭＳ施術用コイルを移動させることができる機械装置を含む。
【０１２７】
ロボットアーム装置は、開示された実施例によってコンピュータが指定した位置にＴＭＳ施術用コイルを移動させることによって、コンピュータの演算結果によって自動的に患者にＴＭＳコイルを用いた施術を行える。
【０１２８】
図１５は、一実施例によるパッドガイド方法を示すフローチャートである。
【０１２９】
開示された実施例において、パッドは脳刺激パッドを含む。例えば、脳刺激パッドは、電気刺激パッド及び超音波刺激パッドを含むことができるが、これに制限されない。また、パッドは、ＥＥＧパッドを含む。但し、開示された実施例によるパッドの種類は、上述した例示に制限されない。
【０１３０】
段階Ｓ１５１０で、コンピュータは、深度カメラを用いて対象体の頭を含む３次元スキャンモデルを獲得する。
【０１３１】
深度カメラ（ｄｅｐｔｈ ｃａｍｅｒａ）は、三角測量方式の３次元レーザスキャナ、構造光線パターンを用いた深度カメラ、赤外線の反射時間差を用いたＴＯＦ（Ｔｉｍｅ Ｏｆ Ｆｌｉｇｈｔ）方式を利用した深度カメラなどを含むことができるが、その種類はこれに制限されない。
【０１３２】
深度カメラは、画像に距離情報を反映して３次元スキャンモデルを獲得するのに用いられる。
【０１３３】
一実施例において、対象体、即ち患者は、背もたれのない丸椅子に着席し、使用者、即ち医師は、三角台など仮固定装置を用いて深度カメラを患者の顔の高さから患者の顔がよく見えるように位置させる。
【０１３４】
医師は、深度カメラを用いたスキャンを開始し、患者をゆっくり一回まわすことによって患者の頭を含む３次元スキャンモデルを獲得する。
【０１３５】
一実施例において、深度カメラを自動回転可能な固定モジュールに配置して、深度カメラが中央に位置する患者の周辺を回転することによって３次元スキャンモデルを獲得できる。
【０１３６】
反面、開示された実施例によれば、別途の高価な装置がなくても３次元スキャンが可能なように、携帯可能なコンピュータ装置（例えば、スマートフォン、タブレットＰＣなど）に深度カメラモジュールを接続し、三角台など手軽に入手できる仮固定装置を用いて深度カメラモジュールが接続されているコンピュータ装置を固定し、患者をスツールなどに着席させた後に回転させることによって３次元スキャンモデルを獲得できる。
【０１３７】
図２０を参照すれば、携帯可能なコンピュータ装置２０００とそれに接続されている深度カメラモジュール２０１０が示されている。
【０１３８】
また、図１８を参照すれば、深度カメラを用いて獲得した３次元スキャンモデル１８００の一例が示されている。
【０１３９】
一実施例において、コンピュータは、深度カメラを用いて収集された距離画像を用いて対象体の頭を含む３次元モデルを生成し、互いに異なる開始点で撮影された画像を互いに位置合わせした後合体して、対象体の３次元モデルを再構成する。例えば、コンピュータは、深度カメラを用いて収集された距離画像で点群（ｐｏｉｎｔ ｃｌｏｕｄ）形態の３次元データを収集してモデルを再構成する。しかし、３次元モデルを生成する方法は制限されない。
【０１４０】
段階Ｓ１５２０で、コンピュータは、対象体の３次元脳ＭＲＩモデルを獲得する。
【０１４１】
一実施例において、対象体の３次元脳ＭＲＩモデルを獲得する段階は、対象体の脳ＭＲＩ画像を獲得する段階と、対象体の脳ＭＲＩ画像に含まれている複数の領域のそれぞれの性質に基づいて、対象体の脳に対する電気的刺激の伝達過程をシミュレーションできる対象体の３次元脳地図を生成する段階とを含む。
【０１４２】
また、対象体の３次元脳地図を生成する段階は、対象体の脳に対する電気的刺激の伝達過程をシミュレーションできる複数の格子（ｍｅｓｈ）で構成された３次元立体画像を生成する段階を含む。
【０１４３】
段階Ｓ１５２０でコンピュータが対象体の３次元脳ＭＲＩモデルを獲得する方法は、図１ないし図８と関連して説明した３次元脳地図の生成方法を用いることができる。
【０１４４】
段階Ｓ１５３０で、コンピュータは、対象体の頭を含む３次元スキャンモデルと対象体の脳ＭＲＩモデルに対する整合を行う。
【０１４５】
図１７を参照すれば、イメージを整合する方法の一実施例が示されている。図１７に示したイメージ１７００を参照すれば、対象体の脳ＭＲＩ写真と、対象体の脳の構造をモデリングしたイメージが重なっている。
【０１４６】
イメージ１７００で、下側の３つのイメージは、脳ＭＲＩ写真と脳の構造をモデリングしたイメージが整合されていない例に該当する。また、イメージ１７００で、上側の３つのイメージは、脳ＭＲＩ写真と脳の構造をモデリングしたイメージが整合された例に該当する。
【０１４７】
コンピュータは、脳ＭＲＩモデルを用いてパッドが付される位置によってパッドの電気又は超音波刺激により対象体の脳で発生する変化を計算する。また、コンピュータは、対象体の頭を含む３次元スキャンモデルを用いてパッドを実際に付すべき位置を計算する。
【０１４８】
従って、コンピュータは、対象体の頭を含む３次元スキャンモデルと対象体の脳ＭＲＩモデルに対する整合を行うことによって、対象体の頭にパッドを付すべき位置を計算し、それにより対象体の脳で発生する変化を計算できる。同様に、コンピュータは、整合された結果を用いて、対象体の脳に特定の変化を起こすために、対象体の頭にパッドを付すべき位置を計算し、その結果を提供できる。
【０１４９】
一実施例において、コンピュータが整合を行う段階は、スキャンモデルと脳ＭＲＩモデルの顔特性（ｆａｃｉａｌ ｆｅａｔｕｒｅ）を計算する段階及びスキャンモデルと脳ＭＲＩモデルの顔特性を用いてスキャンモデルと脳ＭＲＩモデルの整合を行う段階を含む。
【０１５０】
対象体の頭を含むスキャンモデルと対象体の脳ＭＲＩモデルは、その様式が異なるので、整合し難い。従って、コンピュータは、対象体の顔特性を用いて両モデルを整合させることができる。
【０１５１】
一実施例において、対象体の頭を含むスキャンモデルの顔特性を計算する段階は、対象体の頭を含む色画像及び深度画像を獲得する段階と、対象体の頭を含む色画像を用いて対象体の顔特性を計算する段階と、対象体の頭を含む深度画像を用いて対象体の顔特性の３次元位置を計算する段階とを含む。
【０１５２】
図１８を参照すれば、対象体の頭を含むスキャンモデル１８００及び対象体の脳ＭＲＩモデル１８１０を整合し、整合されたモデル１８２０を生成する一例が示されている。
【０１５３】
段階Ｓ１５４０で、コンピュータは、深度カメラを用いて対象体の頭を撮影した画像を獲得する。
【０１５４】
例えば、医師は、仮固定された深度カメラを直接手に持って患者の頭を映しながら動かすことができる。
【０１５５】
段階Ｓ１５５０で、コンピュータは、段階Ｓ１５４０で撮影された画像の一位置と整合されたモデル上の一位置をマッチさせる。
【０１５６】
例えば、コンピュータが深度カメラを用いて対象体の頭の一地点を撮影している場合、コンピュータは、撮影されている一地点が整合されたモデル上でどの部分に該当するかに対する計算を行う。
【０１５７】
一実施例において、コンピュータは、撮影された画像と整合されたモデルをマッチして対象体の頭に付するパッドの位置をガイドする画像を表示する。
【０１５８】
図１９を参照すれば、深度カメラモジュールが接続されているコンピュータ装置１９００が対象体の頭１９１０を撮影し、コンピュータ装置１９００は、撮影された対象体の頭１９１０にパッド１９３０を付するための位置１９２０をガイドする画像を表示する。
【０１５９】
一実施例において、コンピュータ装置１９００は、整合されたモデル上でパッド１９３０を付する位置を決定し、撮影された画像において決定された位置に対応する位置１９２０を表示する。
【０１６０】
また、コンピュータ装置１９００は、撮影された画像でパッド１９３０を認識し、認識されたパッド１９３０の移動方向をガイドする。
【０１６１】
更に、コンピュータ装置１９００は、認識されたパッド１９３０が決定された位置１９２０に付されたか否かを判断する。
【０１６２】
一実施例において、パッド１９３０には、少なくとも１つのマーカが付されるか又は表示される。例えば、パッド１９３０には特定の図形、色及び２次元コードのうちの少なくとも１つが付されるか又は表示され、コンピュータ装置１９００は、パッド１９３０に付着又は表示されたマーカを用いて、パッド１９３０を認識し、パッド１９３０の動きをトラッキングする。
【０１６３】
例えば、医師が患者の頭をコンピュータ装置１９００又はコンピュータ装置１９００と接続されている深度カメラを用いて位置を変更しながら撮影する場合、コンピュータ装置１９００に表示される患者の頭の位置も変更され、同様に、コンピュータ装置１９００が認識するパッド１９３０の位置も変更される。この場合、コンピュータ装置１９００は、コンピュータ装置１９００が移動する場合にもパッド１９３０をトラッキングして、医師が患者の頭の正確な位置にパッド１９３０を付することができるようにガイドする。
【０１６４】
一実施例において、コンピュータ装置１９００は、撮影された画像でパッド１９３０を認識し、認識されたパッドの移動方向をガイドする。例えば、コンピュータ装置１９００は、パッド１９３０が決定された位置１９２０に付着され得るように、パッド１９３０の移動方向を表示する。
【０１６５】
また、コンピュータ装置１９００は、認識されたパッド１９３０が決定された位置１９２０に付されたか否かを判断する。例えば、コンピュータ装置１９００は、パッド１９３０が最終的に認識された位置が決定された位置１９２０に対応するか否かを判断し、決定された位置１９２０とパッド１９３０が付された位置が異なる場合、パッド１９３０の位置を変更することを要請する通知を提供できる。
【０１６６】
一実施例において、コンピュータ装置１９００は、撮影された画像で対象体の頭に付着されたパッド１９３０を認識し、認識されたパッド１９３０の位置を判断する。コンピュータ装置１９００は、判断されたパッド１９３０の位置に対応する、整合されたモデル上の位置を獲得する。
【０１６７】
例えば、ＥＥＧ脳波検査を行う場合、使用者の頭の形状及び構造と関係なく、一貫した位置にＥＥＧパッドを付するか、任意の位置にＥＥＧパッドを付する。この場合、ＥＥＧパッドが獲得した脳波が対象体の脳のどの位置から受信された脳波であるかが具体的に分かり難い。
【０１６８】
従って、開示された実施例によれば、コンピュータ装置１９００は、１つ以上のＥＥＧパッドを付した対象体の頭を撮影し、撮影された画像で認識された１つ以上のＥＥＧパッドの位置を獲得する。
【０１６９】
コンピュータ装置１９００は、得られたＥＥＧパッドの位置に対応する対象体の整合されたモデル上の位置を獲得して、対象体の頭に付されたＥＥＧパッドで獲得した脳波が対象体の脳のどの部分から受信されたかを具体的に判断できる。例えば、コンピュータ装置１９００は、開示された実施例を活用して各ＥＥＧパッドで受信した脳波の信号源を分析できる。
【０１７０】
図１６は、一実施例によって電気刺激結果をシミュレーションする結果を示す図である。
【０１７１】
図１６を参照すれば、対象体の頭１６００の３次元モデル及び３次元モデル上の一位置にパッド１６１０を付した実施例が示されている。
【０１７２】
コンピュータは、対象体の頭１６００の３次元モデルの一位置にパッド１６１０が付された場合、パッド１６１０による電気刺激が対象体の脳１６５０から伝達される結果をシミュレーションする。
【０１７３】
一実施例において、コンピュータは、対象体の脳１６５０に対する３次元脳地図を獲得し、３次元脳地図を用いて対象体の頭に付されるパッド１６１０の位置を決定する。
【０１７４】
一実施例において、パッド１６１０の位置を決定する段階は、パッド１６１０を用いる目的を獲得する段階と、対象体の頭１６００にパッド１６１０が付される位置によって前記対象体の脳１６５０に電気的刺激が伝達される過程をシミュレーションする段階と、獲得した目的とシミュレーション結果を用いてパッド１６１０の位置を決定する段階とを含む。
【０１７５】
例えば、コンピュータは、対象体の脳１６５０に特定の刺激を与えようとする場合、シミュレーション結果を用いて対象体の脳１６５０に特定の刺激を与えられるパッド１６１０の位置を決定できる。
【０１７６】
コンピュータは、図１６に示した実施例によって決定されたパッド１６１０の位置を、深度カメラを用いて撮影された対象体の頭の一地点とマッチさせ、マッチした位置にパッドをガイドする画像を表示できる。
【０１７７】
本発明の実施例と関連して説明された方法又はアルゴリズムの段階は、ハードウェアで直接実現するか、ハードウェアにより実行されるソフトウェアモジュールで実現するか、又はこれらの結合により実現できる。ソフトウェアモジュールは、ＲＡＭ（Ｒａｎｄｏｍ Ａｃｃｅｓｓ Ｍｅｍｏｒｙ）、ＲＯＭ（Ｒｅａｄ Ｏｎｌｙ Ｍｅｍｏｒｙ）、ＥＰＲＯＭ（Ｅｒａｓａｂｌｅ Ｐｒｏｇｒａｍｍａｂｌｅ ＲＯＭ）、ＥＥＰＲＯＭ（Ｅｌｅｃｔｒｉｃａｌｌｙ Ｅｒａｓａｂｌｅ Ｐｒｏｇｒａｍｍａｂｌｅ ＲＯＭ）、フラッシュメモリ（Ｆｌａｓｈ Ｍｅｍｏｒｙ）、ハードディスク、脱着型ディスク、ＣＤ-ＲＯＭ、又は本発明が属する技術分野において周知されている任意の形態のコンピュータ読み取り可能な記録媒体に常に存在し得る。
【０１７８】
以上、添付の図面を参照して本発明の実施例を説明したが、本発明が属する技術分野における通常の技術者は、本発明がその技術的思想や必須な特徴を変更することなく、他の具体的な形態で実施できるということが理解できるであろう。従って、以上で述べた実施例は全ての面で例示的なものであり、制限的ではないものとして理解すべきである。
【図１】
0006935630.tif 000009
【図２】
0006935630.tif 000010
【図３】
0006935630.tif 000011
【図４】
0006935630.tif 000012
【図５】
0006935630.tif 000013
【図６】
0006935630.tif 000014
【図７】
0006935630.tif 000015
【図８】
0006935630.tif 000016
【図９】
0006935630.tif 000017
【図１０】
0006935630.tif 000018
【図１１】
0006935630.tif 000019
【図１２】
0006935630.tif 000020
【図１３】
0006935630.tif 000021
【図１４】
0006935630.tif 000022
【図１５】
0006935630.tif 000023
【図１６】
0006935630.tif 000024
【図１７】
0006935630.tif 000025
【図１８】
0006935630.tif 000026
【図１９】
0006935630.tif 000027
【図２０】
0006935630.tif 000028